(57)【要約】【課題】コード類の端末に取り付けられているイヤホーン部やプラグ類といったコード太さより大きい部品も含めてコード巻取り溝内に収容しつつ適正にコード類の周端部を固定することができるようにする。【解決手段】コード類の巻芯部とこの巻芯部の端部に設けられたフランジ部とを有して巻芯部外周にコード類収容溝を形成するとともに前記フランジ部の周囲に複数のスリットを形成したコード類巻取り本体を設ける。当該コード類巻取り本体に巻付けられるコード類を挿通するリング部と、このリング部から外側に伸びる線条部と、線条部の端部に設けた止め玉部とを有してなる止め具とを備えている。【選択図】    図１
2010195546.tif 000002
【特許請求の範囲】
【請求項１】
コード類を挿通できるリング部と、このリング部から外側に伸びる線条部と、線条部の端部に設けた止め玉部とを有してなることを特徴とするコード類巻取り用止め具。
【請求項２】
前記リング部の一部にコード類の挿入口を開閉可能に形成したことを特徴とする請求項１に記載のコード類巻取り用止め具。
【請求項３】
リング部に径の絞り機能を持たせたことを特徴とする請求項１に記載のコード類巻取り用止め具。
【請求項４】
コード類の巻芯部とこの巻芯部の端部に設けられたフランジ部とを有して巻芯部外周にコード類収容溝を形成するとともに前記フランジ部の周囲に複数のスリットを形成したコード類巻取り本体と、当該コード類巻取り本体に巻付けられるコード類を挿通するリング部と、このリング部から外側に伸びる線条部と、線条部の端部に設けた止め玉部とを有してなる止め具とからなることを特徴前記リング部の一部にコード類の挿入口を開閉可能に形成したことを特徴とするコード類巻取り具。
【請求項５】
電気機器のコードを巻付け可能なコード類収容溝の側壁部の外周縁に形成された複数のスリットする巻取り本体と、当該コード類巻取り本体に巻付けられる前記コードを挿通するリング部と、このリング部から外側に伸びる線条部と、線条部の端部に設けた止め玉部とを有してなる止め具とを有してなることを特徴コード巻取り具付き電機機器。
【発明の詳細な説明】
【技術分野】
【０００１】
本発明は、コード類巻取り用止め具、コード類巻取り具、およびコード巻取り具付き電機機器に関する。
【背景技術】
【０００２】
イヤホーンや電気コード、あるいはホースなどを巻取り収納するための器具は多種提案されている。これらは、通常、巻芯部の両端にフランジ部を設け、巻芯部にコード類を巻き付けてフランジ部の間の環状溝内に収容するようにしている。このようなコード類巻取り具において問題となるのはコード類の端末処理である。コード類を巻芯部に巻き付けても端末が固定されなければ巻緩みを生じてしまうからである。
【０００３】
このようなコード類の端末を巻取り具に保持するために、従来提案されているものとして、特許文献１−３が知られている。特許文献１は巻取り部の端部に取り付けた側板（フランジ部）の周囲に開放溝を複数形成しておき、コード類の周端部を複数の開放溝にＳ字状に通すことで固定するようにしている。特許文献２はＡＣアダプタの電源プラグと出力コネクタを収容する溝をコード類巻付け溝の一方の側板に形成し、プラグやコネクタが外部に飛び出さないように工夫した構成を開示している。また、特許文献３には、イヤホーンホルダが示され、これはラジオの側面にコード巻取り部となるパイプを設け、パイプの先端を開口させた状態で円盤カバーを取り付けた形態としている。そして、円盤カバーの外周縁に割れ目を形成しておき、パイプにイヤホーンコードを巻きつけた後、スピーカ部分となるイヤホーン部の基部のコードを割れ目に通し、外に出たイヤホーン部をパイプ先端の開口部に収容するような構成となっている。
【先行技術文献】
【特許文献】
【０００４】
【特許文献１】特開２００１−１８７６７４号公報
【特許文献２】特開２００４−２２４２７号公報
【特許文献３】特開２００５−２９８２０３号公報
【発明の概要】
【発明が解決しようとする課題】
【０００５】
ところが、従来のコード類巻取り具では、コード端末に設けられているイヤホーン部や出力コネクタ・プラグなどはコード類の収容溝の外部から飛び出る形態となり、また、コード類が係止用の溝に通されるためにコード類を屈曲させる必要がある。このような止め方では屈曲部で断線を生じる可能性を否定できない。また、特許文献２のように出力コネクタやプラグなどの形態に合わせた収容凹部を形成しなければ的確に収容できない難点がある。さらに、コード類の長さが決まっていなければ綺麗な形態で巻き終わることができないという欠点がある。
【０００６】
本発明は、コード類の端末に取り付けられているイヤホーン部やプラグ類といったコード太さより大きい部品も含めてコード巻取り溝内に収容しつつ適正にコード類の周端部を固定することができるようにしたコード類巻取り用止め具、コード類巻取り具、およびコード巻取り具付き電機機器を提供することを目的とする。また、コード類を屈曲させなくても周端部の固定ができるようにして、屈曲に伴う断線や劣化の問題を生じることのないコード類巻取り用止め具、コード類巻取り具、およびコード巻取り具付き電機機器を提供することを目的とする。
【課題を解決するための手段】
【０００７】
上記目的を達成するために、本発明に係るコード類巻取り用止め具は、コード類を挿通できるリング部と、このリング部から外側に伸びる線条部と、線条部の端部に設けた止め玉部とを有してなることを特徴としている。前記リング部の一部にコード類の挿入口を開閉可能に形成すればよい。また、リング部に径の絞り機能を持たせるようにすることもできる。
【０００８】
また、本発明に係るコード類巻取り具は、コード類の巻芯部とこの巻芯部の端部に設けられたフランジ部とを有して巻芯部外周にコード類収容溝を形成するとともに前記フランジ部の周囲に複数のスリットを形成したコード類巻取り本体と、当該コード類巻取り本体に巻付けられるコード類を挿通するリング部と、このリング部から外側に伸びる線条部と、線条部の端部に設けた止め玉部とを有してなる止め具とからなることを特徴としている。
【０００９】
更に、本発明に係るコード巻取り具付き電機機器は、電気機器のコードを巻付け可能なコード類収容溝の側壁部の外周縁に形成された複数のスリットする巻取り本体と、当該コード類巻取り本体に巻付けられる前記コードを挿通するリング部と、このリング部から外側に伸びる線条部と、線条部の端部に設けた止め玉部とを有してなる止め具とを有してなることを特徴としている。
【発明の効果】
【００１０】
本発明によれば、コード類の終端部に止め具を取付け、コード類を巻取り具本体に巻付けた後、その終端部に取り付けた止め具の止め玉部を持って巻取り具のフランジ部に形成したスリットの線条部を引っ掛けることにより、コード類を屈曲させること無くコード類の端末を止め置くことができる。その際、コード類の先端に設けてあるイヤホーン部やプラグ部分などはコード類の収容溝内に収まるため、外部に飛び出さず美観が良くなるとともに、携帯する際の邪魔となることもない。
【図面の簡単な説明】
【００１１】
【図１】本実施形態に係るコード類巻取り具の斜視図と正面図である。
【図２】本実施形態に係るコード類巻取り用止め具の２種の形態を拡大して示す平面図と斜視図である。
【図３】本実施形態に係るコード類巻取り用止め具をイヤホーンコードに取り付けた状態の説明図である。
【図４】本実施形態に係るコード類巻取り用止め具を電気延長コードに取り付けた状態の側面図である。
【図５】本実施形態に係るコード巻取り具付き電機機器の斜視図である。
【発明を実施するための形態】
【００１２】
以下に、本発明に係るコード類巻取り用止め具、コード類巻取り具、およびコード巻取り具付き電機機器の具体的実施形態を、図面を参照しつつ、詳細に説明する。
図１−図３は本実施形態に係るコード類巻取り具、コード類巻取り用止め具、並びにコード類巻取り用止め具をイヤホーンコードに取り付けた状態を示している。
【００１３】
まず、コード類巻取り用止め具１０は、図２（１）に示すように、コード類を挿通できるリング部１２と、このリング部１２から外側に伸びる線条部１４と、線条部１４の端部に設けた止め玉部１６とを有している。リング部１２は高湿樹脂などからなる円形リングであり、その一部にコード挿入口１８を形成している。コード挿入口１８はリングの一部を切断し、切断端部を若干内側に湾曲させてコード類を内部に導入しやすいように形成している。コードの外縁部に挿入口１８を押し付けることで挿入口１８を形成している一対の湾曲部２０が押し開かれ、リング内部にコードを挿通させた状態にすることで挿入口１８がその弾力性により元に戻るように設定すればよい。そして、湾曲部２０が存在しているため、コードが一旦挿入された後は、湾局部２０の先端がコードに引っ掛かって抜け止め機能が発揮される。
【００１４】
また、リング部１２の外周部には外方に延在する線条部１４が設けられている。線条部１４は基部をリング部１２と一体に結合し、先端には後述するようにスリットに線条部１４を掛止した場合にスリットを抜け出ないような大きさの止め玉部１６が形成される。このようなリング部１２、線条部１４、止め玉部１６を有する止め具１０は、樹脂により一体成形すればよい。
【００１５】
このような止め具１０をイヤホーンコード２２に取り付けた状態を図３に示している。この図から理解できるように、リング部１２はイヤホーンコード２２より大きく、コード先端のイヤホーン部２４よりは小さくしてイヤホーン部２４が抜け出ないサイズに設定されている。したがって、止め玉部１６を手で持って引っ張っても一旦イヤホーンコード２２に取り付けた後は外れないようになっている。もちろんコード挿入口１８を手で開いて取り外すことはできる。
【００１６】
図２（２）には止め具の変形例（止め具１０Ａ）を示している。リング部は金属ワイヤを円形に渦巻状に巻き付けた多重リング１２Ａとして形成されている。そして、この多重リング１２Ａには線条体としてワイヤチェーン１６Ａを接続し、ワイヤチェーン１６Ａの先端に止め玉部１６Ａを連結したものである。コード２２の挿入口は多重リング１２Ａのワイヤ先端をリングから引き離すようにして隙間を形成し、コード２２をその隙間に通して多重リング１２Ａを回転させることで内部に挿通することができる。したがって、コード挿入口はワイヤ先端部分とリング部分の間となる。このような変形例に係る止め具１０Ａによっても図３に示した形態を採ることができる。
【００１７】
上述したコード類巻取り用止め具１０（変形例の止め具１０Ａの場合も同様である。）をイヤホーンコード２２に取り付けてコード巻取り本体２６に巻きつけるようにしている。コード巻取り本体２６は、図１（２）に示しているように、円形ドラム状の巻芯部２８と、その両端に設けられたフランジ部３０からなり、一対のフランジ部３０の間にコード収容溝３２が形成される。また、フランジ部３０の一方側の外周縁には間隔をおいて、複数のスリット３４がその半径方向に向いて形成されている。スリット３４は前述した止め具１０の線条部１４を挿通でき、リング部１２や止め玉部１６が通らないような切込みである。このようなコード巻取り本体２６は樹脂成形によって形成すればよい。
【００１８】
このようなコード巻取り本体２６に止め具１０を取り付けたイヤホーンコード２２を巻きつけた状態を図１（１）に示している。図示のように、イヤホーンコード２２の端末部分に止め具１０を装着した状態でコード２２を巻きつけ、イヤホーン部２４を巻きつけた状態で、止め具１０の止め玉部１６を持ち、フランジ部３０のスリット３４に線条部１４を引っ掛けることにより、イヤホーン部２４をコード収容溝３２に収容した状態でコード端末の保持固定できる。これによって、コード２２を屈曲させること無く、またイヤホーン部２４を外部に露出させることがない。したがってイヤホーン部２４が邪魔になることなく、携帯が可能となる。なお、イヤホーンジャック部分にも同じように止め具１０を取り付けるようにしてもよい。
【００１９】
図４は電気延長コード３６に適用した場合である。一方のプラグ３８、ソケット４０の基部の電気コード４２に止め具１０を装着し、電気コードの巻取りに合わせた巻取り本体に巻き取って前述したと同様の方法で巻き取ればよい。
【００２０】
図５はラジオのような電気機器４４に適用した例である。機器側面に巻芯部４６、フランジ部４８を取付け、フランジ部４８の外周縁に複数のスリット５０を形成し、電気機器４４に接続されているイヤホーンコード５２に止め具１０を取り付ければ、同様にイヤホーン部５４を収容溝５６に収容した状態で端末処理できる。
【符号の説明】
【００２１】
１０、１０Ａ………コード類巻取り用止め具、１２………リング部、１２Ａ………多重リング、１４………線条部、１４Ａ………ワイヤチェーン、１６、１６Ａ………止め玉部、１８………コード挿入口、２０………湾曲部、２２………イヤホーンコード、２４………イヤホーン部、２６………コード巻取り本体、２８………巻芯部、３０………フランジ部、３２………コード収容溝、３４………スリット、３６………電気延長コード、３８………プラグ、４０………ソケット、４２………電気コード、４４………電気機器、４６………巻芯部、４８………フランジ部、５０………スリット、５２………イヤホーンコード、５４………イヤホーン部、５６………収容溝。
【図１】
2010195546.tif 000003
【図２】
2010195546.tif 000004
【図３】
2010195546.tif 000005
【図４】
2010195546.tif 000006
【図５】
2010195546.tif 000007